【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
ジフェニルエテニル終端を有するオリゴマーであって、
式：
Ｄ−Ａ−Ｄ
を有し、
Ｄが、
2012530789.tif 000001
又は
2012530789.tif 000002
又は
2012530789.tif 000003
のジフェニルエチニル終端であり、
Φ＝フェニル；
Ｇ＝−ＳＯ２−，−Ｓ−，−Ｏ−，−ＣＨ２−，−ＣＯ−，−ＳＯ−，Ｃ３Ｆ６，又はＮＨＣＯ；及び
Ｒ１＝アミン、水酸基、酸塩化物又は無水物、
であり、Ｒ１がＡとの結合点であり、
Ａが、イミドスルホン、エーテル、エーテルスルホン、アミド、イミド、エステル、エステルスルホン、エーテルイミド、アミドイミド、オキサゾール、オキサゾールスルホン、チアゾール、チアゾールスルホン、イミダゾール、及びイミダゾールスルホン、からなる群より選択されるオリゴマーであることを特徴とするオリゴマー。
【請求項２】
ジフェニルエテニル終端を有するオリゴマーであって、
Ａがアミドイミドであり、該アミドイミドが式：
2012530789.tif 000004
の繰り返し単位を含み、
Ｒ３＝芳香族、脂肪族、脂環式ラジカル；及び
Ｒ２＝有機部分、
であることを特徴とする請求項１に記載のオリゴマー。
【請求項３】
ジフェニルエチニル終端を有するオリゴマーであって、
Ａがポリエーテルイミド又はポリスルホンイミドであり、該オリゴマーが以下の式を有し：
2012530789.tif 000005
ここで、
Ｘ＝−Ｏ−又はＳ−；
Ａ１＝
2012530789.tif 000006
又は
2012530789.tif 000007
又は
2012530789.tif 000008
であり、
ｍ＝１又は２；
Φ＝フェニル；
Ｒ＝３価のＣ（６−１３）芳香族有機ラジカル；
Ｒ１＝アミド，イミド又はスルホン；
Ｇ＝−ＳＯ２−，−Ｓ−，−Ｏ−，−ＣＨ２−，−ＣＯ−，−ＳＯ−，Ｃ３Ｆ６又はＮＨＣＯ；
Ｒ１＝２価のＣ（６−３０）芳香族有機ラジカル
であることを特徴とする請求項１に記載のオリゴマー。
【請求項４】
ジフェニルエチニル終端を有するオリゴマーであって、Ａが少なくとも式：
Φ−Ｏ−Φ−ＳＯ２−Φ−Ｏ−Φ−
の断片を含む芳香族又は芳香族／脂肪族イミド残留物であることを特徴とする請求項１に記載のオリゴマー。
【請求項５】
ジフェニルエチニル終端を有するオリゴマーであって、Ａがジアンヒドリド及びジアミンの凝縮からなる交替型イミドであることを特徴とする請求項４に記載のオリゴマー。
【請求項６】
ジフェニルエチニル終端を有するオリゴマーであって、Ａが芳香族であることを特徴とする請求項５に記載のオリゴマー。
【請求項７】
ジフェニルエチニル終端を有するオリゴマーであって、
Ａがジアンヒドリドモノマー及びジアミンモノマーの凝縮からなるイミドであり、
前記ジアンヒドリドが：
2012530789.tif 000009
であり、前記ジアミンが、
2012530789.tif 000010
又はこれらの混合物であることを特徴とする請求項１に記載のモノマー。
【請求項８】
先進複合材料混合物であって、
式：
Ｄ−Ａ−Ｄ
を有するジフェニルエチニル終端オリゴマーを含み、
Ｄが、
2012530789.tif 000011
又は
2012530789.tif 000012
又は
2012530789.tif 000013
のジフェニルエチニル終端であり；
Φ＝フェニル；
Ｇ＝−ＳＯ２−，−Ｓ−，−Ｏ−，−ＣＨ２−，−ＣＯ−，−ＳＯ−，Ｃ３Ｆ６又はＮＨＣＯ；
Ｒ１＝アミン、ヒドロキシル、酸塩化物又は無水物
であり、Ｒ１がＡとの結合点であり、
Ａが、イミドスルホン、エーテル、エーテルスルホン、アミド、イミド、エステル、エステルスルホン、エーテルイミド、アミドイミド、オキサゾール、オキサゾールスルホン、チアゾール、チアゾールスルホン、イミダゾール、及びイミダゾールスルホンからなる群より選択されるオリゴマーであり；
該オリゴマーとは異なる化学ファミリーからなる少なくとも一つの互換ポリマーであって、該一つの互換ポリマーが、イミドスルホン、エーテル、エーテルスルホン、アミド、イミド、エステル、エステルスルホン、エーテルイミド、アミドイミド、オキサゾール、オキサゾールスルホン、チアゾール、チアゾールスルホン、イミダゾール、及びイミダゾールスルホンからなる群より選択される、少なくとも一つの互換ポリマーを含むことを特徴とする先進複合材料混合物。
【請求項９】
Ａがアミドイミドであり、該アミドイミドが式：
2012530789.tif 000014
の繰り返し単位を含み、
Ｒ３＝芳香族、脂肪族又は脂環式ラジカル；
Ｒ２＝有機部分
であることを特徴とする請求項８に記載の先進複合材料混合物。
【請求項１０】
Ａがポリエーテルイミド又はポリスルホンイミドであり、前記オリゴマーが式：
2012530789.tif 000015
を有し、
Ｘ＝―Ｏ―又は―Ｓ―；
Ａ１＝
2012530789.tif 000016
又は
2012530789.tif 000017
又は
2012530789.tif 000018
であり、
ｍ＝１ないし４；
Φ＝フェニル；
Ｒ＝３価のＣ（６−１３）芳香族有機ラジカル；
Ｒ１＝アミド、イミド又はスルホン；
Ｇ＝−ＳＯ２−，−Ｓ−，−Ｏ−，−ＣＨ２−，−ＣＯ−，−ＳＯ−，Ｃ３Ｆ６又はＮＨＣＯ；
Ｒ’＝２価のＣ（６−３０）芳香族有機ラジカル
であることを特徴とする請求項８に記載の先進複合材料混合物。
【請求項１１】
Ａが少なくとも式：
Φ−Ｏ−Φ−ＳＯ２−Φ−Ｏ−Φ−
の断片を含む芳香族又は芳香族／脂肪族イミド残留物であることを特徴とする請求項８に記載の先進複合材料混合物。
【請求項１２】
Ａがジアンヒドリド及びジアミンの凝縮からなる交替型イミドであることを特徴とする請求項１１に記載の先進複合材料混合物。
【請求項１３】
Ａが芳香族であることを特徴とする請求項１１に記載の先進複合材料混合物。
【請求項１４】
Ａがジアンヒドリドモノマー及びジアミンモノマーの凝縮からなるイミドであり、
前記ジアンヒドリドが：
2012530789.tif 000019
であり、前記ジアミンが、
2012530789.tif 000020
又はこれらの混合物であることを特徴とする請求項８に記載の先進複合材料混合物。
【手続補正２】
【補正対象書類名】明細書
【補正対象項目名】０１１３
【補正方法】変更
【補正の内容】
【０１１３】
本開示は種々の特定的な記載により記述されているが、当業者であれば、特許請求の範囲内での変形例が実施可能であることが理解されるだろう。
また、本願は以下に記載する態様を含む。
（態様１）
ジフェニルエテニル終端を有するオリゴマーであって、
式：
Ｄ−Ａ−Ｄ
を有し、
Ｄがジフェニルエチニル終端であり、
Ａが、イミドスルホン、エーテル、エーテルスルホン、アミド、イミド、エステル、エステルスルホン、エーテルイミド、アミドイミド、オキサゾール、オキサゾールスルホン、チアゾール、チアゾールスルホン、イミダゾール、及びイミダゾールスルホン、からなる群より選択されるオリゴマーであることを特徴とするオリゴマー。
（態様２）
ジフェニルエテニル終端を有するオリゴマーであって、
Ｄが
2012530789.tif 000021
又は
2012530789.tif 000022
又は
2012530789.tif 000023
又は
2012530789.tif 000024
であり、
Φ＝フェニル；
Ｇ＝−ＳＯ２−，−Ｓ−，−Ｏ−，−ＣＨ２−，−ＣＯ−，−ＳＯ−，Ｃ３Ｆ６，又はＮＨＣＯ；及び
Ｒ１＝アミン、水酸基、酸塩化物又は無水物、
であり、Ｒ１がＡとの結合点であることを特徴とする態様１に記載のオリゴマー。
（態様３）
ジフェニルエテニル終端を有するオリゴマーであって、
Ａがアミドイミドであり、該アミドイミドが式：
2012530789.tif 000025
の繰り返し単位を含み、
Ｒ３＝芳香族、脂肪族、脂環式ラジカル；及び
Ｒ２＝有機部分、
であることを特徴とする態様１に記載のオリゴマー。
（態様４）
ジフェニルエチニル終端を有するオリゴマーであって、
Ａがポリエーテルイミド又はポリスルホンイミドであり、該オリゴマーが以下の式を有し：
2012530789.tif 000026
ここで、
Ｘ＝−Ｏ−又はＳ−；
Ａ１＝
2012530789.tif 000027
又は
2012530789.tif 000028
又は
2012530789.tif 000029
又は
2012530789.tif 000030
であり、
ｍ＝１又は２；
Φ＝フェニル；
Ｒ＝３価のＣ（６−１３）芳香族有機ラジカル；
Ｒ１＝アミド，イミド又はスルホン；
Ｇ＝−ＳＯ２−，−Ｓ−，−Ｏ−，−ＣＨ２−，−ＣＯ−，−ＳＯ−，Ｃ３Ｆ６又はＮＨＣＯ；
Ｒ１＝２価のＣ（６−３０）芳香族有機ラジカル
であることを特徴とする態様１に記載のオリゴマー。
（態様５）
ジフェニルエチニル終端を有するオリゴマーであって、Ａが少なくとも式：
Φ−Ｏ−Φ−ＳＯ２−Φ−Ｏ−Φ−
の断片を含む芳香族又は芳香族／脂肪族イミド残留物であることを特徴とする態様２に記載のオリゴマー。
（態様６）
ジフェニルエチニル終端を有するオリゴマーであって、Ａがジアンヒドリド及びジアミンの凝縮からなる交替型イミドであることを特徴とする態様５に記載のオリゴマー。
（態様７）
ジフェニルエチニル終端を有するオリゴマーであって、Ａが芳香族であることを特徴とする態様６に記載のオリゴマー。
（態様８）
ジフェニルエチニル終端を有するオリゴマーであって、
Ａがジアンヒドリドモノマー及びジアミンモノマーの凝縮からなるイミドであり、
前記ジアンヒドリドが：
2012530789.tif 000031
であり、前記ジアミンが、
2012530789.tif 000032
又はこれらの混合物であることを特徴とする態様２に記載のモノマー。
（態様９）
先進複合材料混合物であって、
式：
Ｄ−Ａ−Ｄ
を有するジフェニルエチニル終端オリゴマーを含み、
Ｄがジフェニルエチニル終端であり；
Ａが、イミドスルホン、エーテル、エーテルスルホン、アミド、イミド、エステル、エステルスルホン、エーテルイミド、アミドイミド、オキサゾール、オキサゾールスルホン、チアゾール、チアゾールスルホン、イミダゾール、及びイミダゾールスルホンからなる群より選択されるオリゴマーであり；
該オリゴマーとは異なる化学ファミリーからなる少なくとも一つの互換ポリマーを含むことを特徴とする先進複合材料混合物。
（態様１０）
Ｄが、
2012530789.tif 000033
又は
2012530789.tif 000034
又は
2012530789.tif 000035
又は
2012530789.tif 000036
であり、
Φ＝フェニル；
Ｇ＝−ＳＯ２−，−Ｓ−，−Ｏ−，−ＣＨ２−，−ＣＯ−，−ＳＯ−，Ｃ３Ｆ６又はＮＨＣＯ；
Ｒ１＝アミン、ヒドロキシル、酸塩化物又は無水物
であり、Ｒ１がＡとの結合点であることを特徴とする態様９に記載の先進複合材料混合物。
（態様１１）
Ａがアミドイミドであり、該アミドイミドが式：
2012530789.tif 000037
の繰り返し単位を含み、
Ｒ３＝芳香族、脂肪族又は脂環式ラジカル；
Ｒ２＝有機部分
であることを特徴とする態様９に記載の先進複合材料混合物。
（態様１２）
Ａがポリエーテルイミド又はポリスルホンイミドであり、前記オリゴマーが式：
2012530789.tif 000038
を有し、
Ｘ＝―Ｏ―又は―Ｓ―；
Ａ１＝
2012530789.tif 000039
又は
2012530789.tif 000040
又は
2012530789.tif 000041
又は
2012530789.tif 000042
であり、
ｍ＝１ないし４；
Φ＝フェニル；
Ｒ＝３価のＣ（６−１３）芳香族有機ラジカル；
Ｒ１＝アミド、イミド又はスルホン；
Ｇ＝−ＳＯ２−，−Ｓ−，−Ｏ−，−ＣＨ２−，−ＣＯ−，−ＳＯ−，Ｃ３Ｆ６又はＮＨＣＯ；
Ｒ’＝２価のＣ（６−３０）芳香族有機ラジカル
であることを特徴とする態様９に記載の先進複合材料混合物。
（態様１３）
少なくとも一つのポリマーが、イミドスルホン、エーテル、エーテルスルホン、アミド、イミド、エステル、エステルスルホン、エーテルイミド、アミドイミド、オキサゾール、オキサゾールスルホン、チアゾール、チアゾールスルホン、イミダゾール、及びイミダゾールスルホン、からなる群より選択されることを特徴とする態様９に記載の先進複合材料混合物。
（態様１４）
Ａが少なくとも式：
Φ−Ｏ−Φ−ＳＯ２−Φ−Ｏ−Φ−
の断片を含む芳香族又は芳香族／脂肪族イミド残留物であることを特徴とする態様９に記載の先進複合材料混合物。
（態様１５）
Ａがジアンヒドリド及びジアミンの凝縮からなる交替型イミドであることを特徴とする態様１４に記載の先進複合材料混合物。
（態様１６）
Ａが芳香族であることを特徴とする態様１４に記載の先進複合材料混合物。
（態様１７）
Ａがジアンヒドリドモノマー及びジアミンモノマーの凝縮からなるイミドであり、
前記ジアンヒドリドが：
2012530789.tif 000043
前記ジアミンが、
2012530789.tif 000044
又はこれらの混合物であることを特徴とする態様９に記載の先進複合材料混合物。